(57)【要約】【課題】通話者に与える不快感を抑えた携帯電話機を提供する【解決手段】無線通信部１０は、トーン信号を受信する。トーン種別判定手段２０は、無線通信部１０が受信したトーン信号を検出し、該トーン信号の種別を判定する。アンプ部１６あるいはアンプ部１８は、アンプ制御部２１の指示に従い出力をオン／オフし、無線通信部１０が受信したトーン信号を増幅して出力する。背面スピーカ部１７は、アンプ部１６の出力信号を受けて鳴動する。レシーバ／イヤホンスピーカ部１９は、アンプ部１８の出力信号を受けて鳴動する。アンプ制御２１は、無線通信部１０が受信したトーン信号の無音部分を検出し、トーン種別判定手段２０が判定したトーン信号の種別を受け、該種別に基づき制御対象であるかを判定し、制御対象ならばアンプ部１６あるいはアンプ部１８に出力オフを指示する。【選択図】図１
2007195112.tif 000002
【特許請求の範囲】
【請求項１】
トーン信号を受信する無線通信手段と、
前記無線通信手段が受信したトーン信号を検出し、該トーン信号の種別を判定するトーン種別判定手段と、
指示に従い出力をオン／オフし、前記無線通信手段が受信したトーン信号を増幅して出力する増幅手段と、
前記増幅手段の出力信号を受けて鳴動するスピーカと、
前記トーン種別判定手段が判定した前記トーン信号の種別を受け、前記無線通信手段が受信したトーン信号の有音部分を検出したときは、前記増幅手段に出力オンを指示し、前記無線通信手段が受信したトーン信号の無音部分を検出したときは、前記受けた種別に基づき制御対象であるかを判定し、制御対象ならば前記増幅手段に出力オフを指示するアンプ制御手段と
を備えることを特徴とする携帯電話機。
【請求項２】
トーン信号を受信する無線通信手段と、
前記無線通信手段が受信したトーン信号を検出し、該トーン信号の種別を判定するトーン種別判定手段と、
指示に従い出力をオン／オフし、受けたトーン信号を増幅して出力する複数の増幅手段と、
対応する前記増幅手段の出力信号を受けて鳴動する複数のスピーカと、
前記無線通信手段が受信したトーン信号の出力先となる前記スピーカを決定して、前記無線通信手段が受信したトーン信号を該決定したスピーカに対応する増幅手段に出力する音声出力制御手段と、
前記トーン種別判定手段が判定した前記トーン信号の種別を受け、前記無線通信手段が受信したトーン信号の有音部分を検出したときは、前記決定したスピーカに対応する増幅手段に出力オンを指示し、前記無線通信手段が受信したトーン信号の無音部分を検出したときは、前記受けた種別と前記決定したスピーカとの組み合わせが制御対象のときは、前記決定したスピーカに対応する増幅手段に出力オフを指示するアンプ制御手段と
を備えることを特徴とする携帯電話機。
【請求項３】
前記スピーカのうち一つは、自筐体の背面に備えられた背面スピーカであり、
前記制御対象となる前記種別と前記スピーカの組み合わせは、前記種別がリングバックトーンあるいはビジートーンであり、前記スピーカが前記背面スピーカであるときであることを特徴とする請求項２に記載の携帯電話機。
【請求項４】
開閉可能な形状をした筐体を備え、
前記背面スピーカは、前記筐体の開閉に関係なく露出している箇所に設置されており、
前記音声出力制御手段は、前記筐体が閉じているときは、前記無線通信手段が受信したトーン信号の出力先を、前記背面スピーカに対応する前記増幅手段に決定すること
を特徴とする請求項３に記載の携帯電話機。
【請求項５】
前記筐体の開閉状態に応じて、トーン信号の出力先となる前記スピーカを、ユーザ操作により、前記音声出力制御手段に予め設定する出力先設定手段を備え、
前記音声出力制御手段は、前記筐体が閉じており、かつ、前記出力先設定手段により、前記筐体が閉じているときの出力先が前記背面スピーカに設定されているときは、前記無線通信手段が受信したトーン信号の出力先を、前記背面スピーカに対応する前記増幅手段に決定すること
を特徴とする請求項４に記載の携帯電話機。
【請求項６】
前記アンプ制御手段は、前記増幅手段に出力オフを指示することに代えて、前記増幅手段にゲインを下げることを指示し、
前記増幅手段は、指示に従い出力をオン／オフすることに代えて、指示に従いゲインを変更すること
を特徴とする請求項１から請求項５のいずれかの項に記載の携帯電話機。
【発明の詳細な説明】
【技術分野】
【０００１】
本発明は、トーン信号の無音部分におけるノイズを抑えた携帯電話機に関する。
【背景技術】
【０００２】
従来の携帯電話機は、受信した音声信号を増幅し、増幅のゲイン制御が可能な受話アンプと送話音声の有音／無音を検出する無音検出機能とを設けている。送信側の携帯電話機では、無音検出機能が、送話音声の有音／無音を検出し、これを相手局に送信する。受信側の携帯電話機では、受信した相手局の無音検出機能の出力信号を受信し、この出力信号により無音を通知されたときには、受話アンプのゲインを低く抑えるように制御することにより無音時のノイズ音を低減している（例えば、特許文献１参照）。
【特許文献１】特開平９−１３０２８２号公報
【発明の開示】
【発明が解決しようとする課題】
【０００３】
しかしながら、特許文献１に示す携帯電話機にあっては、相手局ではなく、網が送信してくるリングバックトーンやビジートーンなどのトーン音を鳴動する際にはノイズ音を低減することができないという問題がある。筐体の形状が折りたたみ式やスライド式の携帯電話機においては、通話終了時に折りたたんだり、スライドを閉じたりした場合に、回線切断までの間に背面スピーカからビジートーンなどのトーン音を鳴動することがある。これが、レシーバやイヤホンスピーカにてトーン音を鳴動させた場合には、通話者にとって不快なほどのノイズ音は発生しないが、トーン音を背面スピーカにて鳴動させた場合に、特にトーン音の無音部分におけるノイズ音が目立ち、通話者に不快感を与えるという問題があった。
【０００４】
本発明は、このような事情に鑑みてなされたもので、その目的は、通話者に与える不快感を抑えた携帯電話機を提供することにある。
【課題を解決するための手段】
【０００５】
この発明は上述した課題を解決するためになされたもので、請求項１に記載の発明は、トーン信号を受信する無線通信手段と、前記無線通信手段が受信したトーン信号を検出し、該トーン信号の種別を判定するトーン種別判定手段と、指示に従い出力をオン／オフし、前記無線通信手段が受信したトーン信号を増幅して出力する増幅手段と、前記増幅手段の出力信号を受けて鳴動するスピーカと、前記トーン種別判定手段が判定した前記トーン信号の種別を受け、前記無線通信手段が受信したトーン信号の有音部分を検出したときは、前記増幅手段に出力オンを指示し、前記無線通信手段が受信したトーン信号の無音部分を検出したときは、前記受けた種別に基づき制御対象であるかを判定し、制御対象ならば前記増幅手段に出力オフを指示するアンプ制御手段とを備えることを特徴とする携帯電話機である。
【０００６】
また、請求項２に記載の発明は、トーン信号を受信する無線通信手段と、前記無線通信手段が受信したトーン信号を検出し、該トーン信号の種別を判定するトーン種別判定手段と、指示に従い出力をオン／オフし、受けたトーン信号を増幅して出力する複数の増幅手段と、対応する前記増幅手段の出力信号を受けて鳴動する複数のスピーカと、前記無線通信手段が受信したトーン信号の出力先となる前記スピーカを決定して、前記無線通信手段が受信したトーン信号を該決定したスピーカに対応する増幅手段に出力する音声出力制御手段と、前記トーン種別判定手段が判定した前記トーン信号の種別を受け、前記無線通信手段が受信したトーン信号の有音部分を検出したときは、前記決定したスピーカに対応する増幅手段に出力オンを指示し、前記無線通信手段が受信したトーン信号の無音部分を検出したときは、前記受けた種別と前記決定したスピーカとの組み合わせが制御対象のときは、前記決定したスピーカに対応する増幅手段に出力オフを指示するアンプ制御手段とを備えることを特徴とする携帯電話機である。
【０００７】
また、請求項３に記載の発明は、請求項２に記載の携帯電話機であって、前記スピーカのうち一つは、自筐体の背面に備えられた背面スピーカであり、前記制御対象となる前記種別と前記スピーカの組み合わせは、前記種別がリングバックトーンあるいはビジートーンであり、前記スピーカが前記背面スピーカであるときであることを特徴とする。
【０００８】
また、請求項４に記載の発明は、請求項３に記載の携帯電話機であって、開閉可能な形状をした筐体を備え、前記背面スピーカは、前記筐体の開閉に関係なく露出している箇所に設置されており、前記音声出力制御手段は、前記筐体が閉じているときは、前記無線通信手段が受信したトーン信号の出力先を、前記背面スピーカに対応する前記増幅手段に決定することを特徴とする。
【０００９】
また、請求項５に記載の発明は、請求項４に記載の携帯電話機であって、前記筐体の開閉状態に応じて、トーン信号の出力先となる前記スピーカを、ユーザ操作により、前記音声出力制御手段に予め設定する出力先設定手段を備え、前記音声出力制御手段は、前記筐体が閉じており、かつ、前記出力先設定手段により、前記筐体が閉じているときの出力先が前記背面スピーカに設定されているときは、前記無線通信手段が受信したトーン信号の出力先を、前記背面スピーカに対応する前記増幅手段に決定することを特徴とする。
【００１０】
また、請求項６に記載の発明は、請求項１から請求項５のいずれかの項に記載の携帯電話機であって、前記アンプ制御手段は、前記増幅手段に出力オフを指示することに代えて、前記増幅手段にゲインを下げることを指示し、前記増幅手段は、指示に従い出力をオン／オフすることに代えて、指示に従いゲインを変更することを特徴とする。
【発明の効果】
【００１１】
この発明によれば、トーン信号を検出し、トーン信号の無音部分では増幅手段に出力オフを指示することで、トーン音を鳴動する際に、無音部分におけるノイズを抑えることができるので、通話者に与える不快感を抑えることができる。
【００１２】
また、本発明によれば、トーン信号を検出し、該トーン信号の種別と出力するスピーカに基づき制御対象であるかを判定し、制御対象ならばトーン信号の無音部分では増幅手段に出力オフを指示することで、特にトーン音の無音部分におけるノイズ音が目立つ、背面スピーカから無音部分の長いトーン音を鳴動する際のみ、無音部分におけるノイズを抑えることができるので、不要な制御を行なうことなく、通話者に与える不快感を抑えることができる。
【発明を実施するための最良の形態】
【００１３】
以下、図面を参照して、本発明の実施の形態について説明する。図１は、この発明の一実施形態による開閉可能な折り畳み式の筐体を持つ携帯電話機の構成を示す概略ブロック図である。１０は、基地局を介して、相手局となる携帯電話機と無線通信する無線通信部である。また、無線通信部１０は、携帯電話網が発したトーン信号を、基地局を介して受信する。
【００１４】
１１は、本携帯電話機全体を制御する制御部であり、トーン種別判定部２０、アンプ制御部２１、音声出力制御部２２を備える。トーン種別判定部２０は、無線通信部１０から信号を受けて、信号の有音部分が所定以上の強度のトーン信号の周波数を含むことと、有音部分の時間および無音部分の時間が同じパターンを繰り返すことを判定条件にして、受けた信号がトーン信号であるか否かとその種別を判定する。本実施形態においては、種別としてビジートーン、リングバックトーン、プログレストーンを、図２にした周波数と有音部分および無音部分の時間と長さとに基づき検出および判定する。アンプ制御部２１は、図３に示すフローチャートで動作し、アンプ部１６あるいはアンプ部１８に対して、出力のオン／オフを指示する。音声出力制御部２２は、本携帯電話機の筐体の開閉状態に応じて、トーン信号および音声信号などの出力先をアンプ部１６とアンプ部１８とから選択して、出力する。本実施形態では、図５の判定表に示すように、開いている状態では、レシーバ／イヤホンスピーカ部１９が鳴動するようにアンプ部１８へ出力し、閉じている状態では、背面スピーカ部１７が鳴動するようにアンプ部１６へ出力する。
【００１５】
１２は、制御部１１が動作する際のワークメモリとなるＲＡＭ（Random Access Memory）と、制御部１１を動作させるためのプログラムおよびデータを格納したＲＯＭ（Read Only Memory）からなるメモリ部である。
【００１６】
１３は、通話時に、音声を収集し、音声信号に変換するマイク部である。１４は、通話先の電話番号の入力など、本携帯電話機をユーザが操作するための指示を制御部１１に与えるための数字キー、オンフックキー、オフフックキーなどからなるキー操作部である。１５は、キー操作部１４の入力内容など、ユーザが本携帯電話機を操作するのに必要な情報を、制御部１１の出力に従い表示するＬＣＤ（Liquid Crystal、Display）などの表示部である。アンプ部１６は、アンプ制御部２１の指示に従い出力をオン／オフし、音声出力制御部２２から受信した信号を増幅して背面スピーカ部１７に出力するアンプ部である。背面スピーカ部１７は、本携帯電話機を閉じた状態にしても露出した位置である筐体の背面に設置されており、アンプ部１６の出力信号を受けて音声を発するスピーカである。
【００１７】
アンプ部１８は、アンプ部１６と同様に、アンプ制御部２１の指示に従い出力をオン／オフし、音声出力制御部２２から受信した信号を増幅してレシーバ／イヤホンスピーカ部１９に出力する。レシーバ／イヤホンスピーカ部１９は、イヤホンを接続すると、アンプ部１８の出力信号を出力する接続端子と、該接続端子にイヤホンが接続されていないときは、アンプ部１８の出力信号を受けて音声を発し、本携帯電話機を折り畳んで閉じた状態とすると隠れてしまう位置に設置されているレシーバスピーカからなる。
なお、この制御部１１、トーン種別判定部２０、アンプ制御部２１および音声出力制御部２２は専用のハードウェアにより実現されるものであってもよく、また、この制御部１１、トーン種別判定部２０、アンプ制御部２１および音声出力制御部２２はメモリおよびＣＰＵ（中央演算装置）により構成され、制御部１１、トーン種別判定部２０、アンプ制御部２１および音声出力制御部２２の機能を実現するためのプログラムをメモリにロードして実行することによりその機能を実現させるものであってもよい。
【００１８】
次に、この携帯電話機の動作を説明する。通話を開始するために、まず、ユーザが、本携帯電話機を開いた状態にして、キー操作部１４の数字キーにて、相手局の電話番号を入力し、さらにオフフックキーを押す。制御部１１は、キー操作部１４から、電話番号およびオフフックを通知されると、通知された電話番号と発呼の指示を、無線通信部１０に通知する。無線通信部１０は、電話番号と発呼の指示を受けると、受けた電話番号への発呼を、無線通信にて基地局に通知する。指定した電話番号の相手局に着信し、相手局にて着信音を鳴らしている間、基地局からは、リングバックトーンのトーン信号が無線通信部１０に送信されている。無線通信部１０は、このトーン信号を受けると、制御部１１へ出力する。制御部１１は、無線通信部１０からトーン信号を受けると、制御部１１の音声出力制御部２２がこれを受けて、例えば、図５の判定表に従い、該トーン信号の出力先を決めて、出力する。ここでは、本携帯電話機は開いた状態なので、アンプ部１８へ出力する。
【００１９】
一方、アンプ制御部２１は、図３に示すフローチャートで動作しており、まず無線通信部１０からの信号について音の検出を行うと、リングバックトーンのトーン信号による音を検出する（Ｓ１）。次に、ステップ２の判定条件は、音が有ることであり、ここでは、ステップＳ１にて音を検出しているので、判定条件が成立しており、ステップＳ３に遷移する。ステップＳ３に遷移すると、アンプ制御部２１は、アンプ部１６およびアンプ部１８が出力オフになっている場合は、出力オンを指示する。ここでは、もともと出力オンであるとすると、アンプ制御部２１は、何もしない。次に、アンプ制御部２１は、トーン種別判定部２０に、トーン種別を問い合わせる（Ｓ４）。ここでは、制御部１１が受けた信号はリングバックトーンのトーン信号であるため、４００Ｈｚの有音部分が１秒、無音部分が２秒のパターンを繰り返すので、トーン種別判定部２０は、リングバックトーンであると判定しており、これをアンプ制御部２１に通知する。
【００２０】
アンプ制御部２１は、トーン種別判定部２０から、リングバックトーンであることの通知を受けると、受けたトーン信号が無音部分になるまで待つ（Ｓ５）。トーン信号が無音部分になると、アンプ制御部２１は、音声出力制御部２２に出力先を問い合わせる（Ｓ６）。ここでは、先に説明したように音声出力制御部２２は、アンプ部１８（レシーバ／イヤホンスピーカ部１９）へ出力しているので、その旨を通知する。アンプ制御部２１は、音声出力制御部２２から、出力先がアンプ部１８である旨の通知を受けると、該出力先とリングバックトーンの組み合わせが制御対象であるかを、例えば、図４に示す判定表で判定する（Ｓ７）。ここでは、アンプ部１８とリングバックトーンの組み合わせは、制御対象外であるので、ステップＳ９に遷移する。ステップＳ９では、終了であるかを判定するが、ここでは、処理は終了せずに、ステップＳ１に遷移し、以降、前述の動作を繰り返す。
【００２１】
次に、相手局のユーザが、着信音が鳴っていることに気付き、相手局をオフフックにすると、本携帯電話機と相手局とは通話状態となり、基地局からは、相手局からの音声信号が送られてくる。無線通信部１０は、基地局から音声信号を受けると、これを制御部１１に出力する。制御部１１は、音声信号を受けると、制御部１１の音声出力制御部２２がこれを受けて、図５に従い、該音声信号の出力先を決めて、出力する。ここでは、本携帯電話機は開いた状態なので、アンプ部１８へ出力し、アンプ部１８はこの音声信号を増幅してレシーバ／イヤホンスピーカ部１９へ出力する。ここでは、イヤホンは接続されていないとすると、この音声信号を受けて、レシーバスピーカが音声を発する。
【００２２】
このとき、アンプ制御部２１は、ステップＳ４にてトーン種別を、トーン種別判定部２０に問い合わせる。アンプ制御部２１は、トーン信号ではない旨を通知されて、ステップＳ９にて、アンプ部１８とトーン以外の組み合わせのため制御対象外と判定する以外は、前述のリングバックトーンを受けているときと同様の動作を繰り返す。
【００２３】
次に、相手局のユーザが、相手局をオンフックにして、通話が終了すると、基地局からは、ビジートーンのトーン信号が送られてくる。このとき、ユーザが本携帯電話機を折り畳み、閉じた状態にしたとする。無線通信部１０は、基地局からビジートーンのトーン信号を受けると、制御部１１へ出力する。制御部１１は、無線通信部１０からトーン信号を受けると、制御部１１の音声出力制御部２２がこれを受けて、前述と同様に図５の判定表に従い、該トーン信号の出力先を決めて、出力する。ここでは、本携帯電話機は閉じた状態なので、アンプ部１６へ出力し、アンプ部１６は、該トーン信号を増幅して、背面スピーカ部１７に出力する。該トーン信号を受けて、背面スピーカがビジートーンを鳴動する。
【００２４】
一方、アンプ制御部２１は、前述の説明と同様に図３に示すフローチャートで動作しており、まず無線通信部１０からの信号について音の検出を行うと、ビジートーンのトーン信号による音を検出する（Ｓ１）。次に、ステップ２の判定条件は、音が有ることであり、ここでは、ステップＳ１にて音を検出しているので、判定条件が成立しており、ステップＳ３に遷移する。ステップＳ３に遷移すると、アンプ制御部２１は、アンプ部１６およびアンプ部１８が出力オフになっている場合は、出力オンを指示する。ここでは、通話状態のときのままであり、もともと出力オンであるので、アンプ制御部２１は、何もしない。次に、アンプ制御部２１は、トーン種別判定部２０に、トーン種別を問い合わせる（Ｓ４）。ここでは、制御部１１が受けた信号はビジートーンのトーン信号であるため、４００Ｈｚの有音部分が５００ミリ秒、無音部分が５００ミリ秒のパターンを繰り返すので、トーン種別判定部２０は、ビジートーンであると判定しており、これをアンプ制御部２１に通知する。
【００２５】
アンプ制御部２１は、トーン種別判定部２０から、ビジートーンであることの通知を受けると、受けたトーン信号が無音部分になるまで待つ（Ｓ５）。トーン信号が無音部分になると、アンプ制御部２１は、音声出力制御部２２に出力先を問い合わせる（Ｓ６）。ここでは、先に説明したように音声出力制御部２２は、アンプ部１６（背面スピーカ部１７）へ出力しているので、その旨を通知する。アンプ制御部２１は、音声出力制御部２２から、出力先がアンプ部１６である旨の通知を受けると、該出力先とビジートーンの組み合わせが制御対象であるかを、前述と同様に、図４に示す判定表で判定する（Ｓ７）。ここでは、アンプ部１６とビジートーンの組み合わせは、制御対象であるので、ステップＳ８に遷移する。ステップＳ８では、アンプ制御部２１は、アンプ部１６に対して、出力オフを指示する。次に、ステップＳ９では、終了であるかを判定するが、ここでは、処理は終了せずに、再度ステップＳ１に遷移する。
【００２６】
アンプ制御部２１は、音の検出を行なうが、ビジートーンの無音部分の間は、音を検出しない（Ｓ１）。ステップＳ２では、音が有るかを判定するが、ステップＳ１にて音を検出していないので、判定条件は成立せず、ステップＳ９に遷移する。ビジートーンの無音部分の間は、アンプ制御部２１は、このステップＳ１、Ｓ２、Ｓ９を繰り返すが、有音部分になると、トーン信号による音を検出する（Ｓ１）。次に、ステップＳ２の判定条件は、音が有ることであり、ここでは、ステップＳ１にて音を検出しているので、判定条件が成立しており、ステップＳ３に遷移する。ステップＳ３に遷移すると、アンプ制御部２１は、アンプ部１６およびアンプ部１８が出力オフになっている場合は、出力オンを指示する。ここでは、先にアンプ部１６を出力オフにしているので、出力オンを指示する。該指示を受けたアンプ部１６は、ビジートーンのトーン信号を増幅し、これを背面スピーカ部１７に出力する。背面スピーカ部１７は、該トーン信号を受けて、ビジートーンを鳴動する。
このように、背面スピーカ部１７にてトーン音を鳴動する際は、トーン種別判定部２０にて制御対象のトーン信号を検出したときは、無音部分の間、アンプ部１６の出力をオフとするため、無音期間に背面スピーカ部１７が発するノイズを抑えることができる。
【００２７】
なお、本実施形態では、折り畳み式の筐体を備える携帯電話機として説明したが、スライド式や回転式の筐体であってもよい。
また、アンプ制御部２１のステップＳ７における制御対象の判定に用いる判定表は、本実施形態においては予め固定的に定められているとして説明したが、該判定表を、キー操作部１４などからユーザが設定できるようにしてもよい。これは、スライド式や回転式などの場合は、閉じた状態であっても、レシーバスピーカが隠れない位置にあるため、閉じた状態において音声を発するスピーカが、レシーバ／背面のどちらであってもかまわないからである。
また、本実施形態においては、アンプ制御部２１は、アンプ部１６およびアンプ部１８に対して、出力のオン／オフを指示し、アンプ部１６およびアンプ部１８は、該指示に応じて出力をオン／オフするとして説明したが、アンプ制御部２１は、アンプ部１６およびアンプ部１８のゲインを指示し、アンプ部１６およびアンプ部１８は、該指示に応じて、ゲインを変更するとしてもよい。この場合は、本実施形態にて、出力をオフとしているときは、ゲインを小さくし、出力をオンとしているときは、ゲインの大きさを通常の値とすることで、ノイズを抑えることができる。
【００２８】
以上、この発明の実施形態を、図面を参照して詳述してきたが、具体的な構成はこの実施形態に限られるものではなく、この発明の要旨を逸脱しない範囲の設計等も含まれる。
【産業上の利用可能性】
【００２９】
開閉可能な筐体を備え、受話用のレシーバスピーカ以外に、筐体を閉じても露出した位置である筐体の背面などに着信音などの鳴動用のスピーカを備えた携帯電話機に用いて好適である。
【図面の簡単な説明】
【００３０】
【図１】この発明の一実施形態による携帯電話機の構成を示すブロック図である。
【図２】同実施形態におけるトーン種別判定部２０が検出および判定するトーン信号の種別とその周波数、有音部分と無音部分の長さである。
【図３】同実施形態におけるアンプ制御部２１の動作を説明するフローチャートである。
【図４】同実施形態におけるステップＳ７における判定表の例である。
【図５】同実施形態における音声出力制御部２２の判定表の例である。
【符号の説明】
【００３１】
１０…無線通信部
１１…制御部
１２…メモリ部
１３…マイク部
１４…キー操作部
１５…表示部
１６…アンプ部
１７…背面スピーカ部
１８…アンプ部
１９…レシーバ／イヤホンスピーカ部
２０…トーン種別判定部
２１…アンプ制御部
２２…音声出力制御部
【図１】
2007195112.tif 000003
【図２】
2007195112.tif 000004
【図３】
2007195112.tif 000005
【図４】
2007195112.tif 000006
【図５】
2007195112.tif 000007